(57)【要約】      （修正有）【課題】表示内容によらず、適切な照度を検出することが可能な電子機器を提供する。【解決手段】電子機器は、第１表示部１８と、照度センサ２９と、表示内容制御部５４と、を備えている。照度センサ２９は、第１表示部１８の表示面の背面側に配置されている。又、照度センサ２９は、照度を検出する。重畳部分は、第１表示部１８の発光領域と照度センサ２９の受光領域との重なる部分である。表示内容制御部５４は、重畳部分における表示内容を制御する。表示内容制御部５４は、照度センサ２９により検出された照度が所定照度未満の場合、発光領域の表示内容の変化による、照度の変化を抑制するように、発光領域の表示内容を制御する。【選択図】図４
2019168395.tif 000002
【特許請求の範囲】
【請求項１】
表示手段と、
前記表示手段の表示面の背面側に配置され、照度を検出する照度検出手段と、
前記照度検出手段により検出された前記照度が所定照度未満の場合、前記表示手段の発光領域と前記照度検出手段の受光領域との重畳部分における当該発光領域の表示内容の変化による前記照度の変化を抑制するように、当該発光領域の表示内容を制御する制御手段と、を備えることを特徴とする電子機器。
【請求項２】
前記制御手段は、前記重畳部分のうち、前記発光領域の第１表示内容と第２表示内容とが重畳する重畳領域が形成される場合、前記重畳部分における前記発光領域の表示内容を制御することを特徴とする請求項１に記載の電子機器。
【請求項３】
前記制御手段は、前記重畳部分における前記発光領域の表示内容の変化による前記照度の変化を抑制するように、前記表示内容の表示色又は輝度を変更することを特徴とする請求項１又は２に記載の電子機器。
【請求項４】
前記制御手段は、
前記重畳部分における前記発光領域の表示内容の発光量が低下する場合、前記表示内容の輝度を上昇させ、
前記重畳部分における前記発光領域の表示内容の発光量が上昇する場合、前記表示内容の輝度を低下させることを特徴とする請求項３に記載の電子機器。
【請求項５】
前記表示内容は、時計の針表示であって、
前記制御手段は、前記照度検出手段の配置される位置に基づいて、前記針表示の表示位置を決定することを特徴とする請求項１乃至４の何れか一項に記載の電子機器。
【請求項６】
前記制御手段は、前記針表示の針の回転中心の位置が、前記照度検出手段の受光領域と重なるように、前記表示内容を制御することを特徴とする請求項５に記載の電子機器。
【請求項７】
前記照度検出手段により検出された前記照度が所定照度以上の場合、前記表示手段の発光領域の表示内容の明るさを維持することを特徴とする請求項１乃至６の何れか一項に記載の電子機器。
【請求項８】
前記表示手段は、発光性の有機化合物を含む有機発光層を有することを特徴とする請求項１乃至６の何れか一項に記載の電子機器。
【請求項９】
表示手段と、
前記表示手段の表示面の背面側に配置され、照度を検出する照度検出手段と、を備えた電子機器の輝度制御方法であって、
前記照度検出手段により検出された前記照度が所定照度未満の場合、前記表示手段の発光領域と前記照度検出手段の受光領域との重畳部分における当該発光領域の表示内容の変化による前記照度の変化を抑制する制御ステップと、を備えることを特徴とする輝度制御方法。
【請求項１０】
表示手段と、
前記表示手段の表示面の背面側に配置され、照度を検出する照度検出手段と、を備えた電子機器に、
前記照度検出手段により検出された前記照度が所定照度未満の場合、前記表示手段の発光領域と前記照度検出手段の受光領域との重畳部分における当該発光領域の表示内容の変化による前記照度の変化を抑制する制御機能と、を実現させることを特徴とする輝度制御プログラム。
【発明の詳細な説明】
【技術分野】
【０００１】
本発明は、電子機器、輝度制御方法及びプログラムに関する。
【背景技術】
【０００２】
従来、表示部としてのＯＬＥＤ（Ｏｒｇａｎｉｃ  Ｌｉｇｈｔ  Ｅｍｉｔｔｉｎｇ  Ｄｉｏｄｅ）の光照射面の裏側に照度センサを置き、その照度センサが検出した外光量によって、ＯＬＥＤの光量調整を行なう技術が知られている（特許文献１参照）。
【先行技術文献】
【特許文献】
【０００３】
【特許文献１】米国特許出願公開第２０１４／０１３２１５８号明細書
【発明の概要】
【発明が解決しようとする課題】
【０００４】
しかしながら、特許文献１の構成では、同一の外光量の下であっても、表示部における表示内容によって検出される照度が異なる場合がある。
例えば、外光の入射方向において、照度センサと重なる位置に表示内容が表示される場合、照度センサへの入射光は表示内容の発光の影響を受ける。即ち、照度センサは、表示内容の発光量が変化すると、外光量が変化したものとみなして照度を検出する。このような場合、照度センサは、実際の外光量の変化に基づく適切な照度を検出できない。
【０００５】
本発明では、表示部の裏側に照度センサを配置されてなる電子機器において、表示内容によらず、適切な照度を検出することが可能な電子機器を提供することを目的とする。
【課題を解決するための手段】
【０００６】
上記目的を達成するため、本発明の一態様の電子機器は、
表示手段と、
前記照度検出手段により検出された前記照度が所定照度未満の場合、前記表示手段の表示面の背面側に配置され、照度を検出する照度検出手段と、
前記表示手段の発光領域と前記照度検出手段の受光領域との重畳部分における当該発光領域の表示内容の変化による前記照度の変化を抑制するように、当該発光領域の表示内容を制御する制御手段と、を備えることを特徴とする。
【発明の効果】
【０００７】
本発明によれば、表示部の裏側に照度センサを配置されてなる電子機器において、表示内容によらず、適切な照度を検出することが可能な電子機器を提供することが出来る。
【図面の簡単な説明】
【０００８】
【図１】本発明の一実施形態である電子機器の概略図である。
【図２】電子機器のハードウェア構成を示すブロック図である。
【図３Ａ】電子機器の表示領域における照度センサの設置形態を示す模式図である。
【図３Ｂ】図３ＡにおけるＸ−Ｘ’断面を示す模式図である。
【図４】図２の電子機器の機能的構成のうち、輝度制御処理を実行するための機能的構成を示す機能ブロック図である。
【図５Ａ】図２の電子機器の第１の表示内容を示す模式図である。
【図５Ｂ】図２の電子機器の第２の表示内容を示す模式図である。
【図５Ｃ】図２の電子機器の第３の表示内容を示す模式図である。
【図６】図４の機能的構成を有する図１の電子機器が実行する輝度制御処理の流れを説明するフローチャートである。
【発明を実施するための形態】
【０００９】
以下、本発明の実施形態について、図面を用いて説明する。
［構成］
図１は、本発明の一実施形態である電子機器１の概略図である。
図１に示すように、本実施形態の電子機器１は、腕時計型の装置（スマートウォッチ等）として構成されている。また、電子機器１は、第１表示部１８及び第２表示部２４（後述）を備えており、第１表示部１８の上に第２表示部２４が積層されている。さらに、第２表示部２４の上には、後述するタッチパネル１７が設けられている。このため、電子機器１においては、第１表示部１８の表示に第２表示部２４の表示を重ね合わせて表示することが可能であると共に、表示内容にタッチ操作することが可能となっている。
【００１０】
図２は、電子機器１のハードウェア構成を示すブロック図である。
図２に示すように、電子機器１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、記憶部１４と、ＲＴＣ（Ｒｅａｌ  Ｔｉｍｅ  Ｃｌｏｃｋ）部１５と、ドライブ１６と、タッチパネル１７と、第１表示部１８と、第１入力部１９と、ブルートゥース（登録商標）用アンテナ２０と、ブルートゥースモジュール２１と、無線ＬＡＮ（Ｌｏｃａｌ  Ａｒｅａ  Ｎｅｔｗｏｒｋ）アンテナ２２と、無線ＬＡＮモジュール２３と、第２表示部２４と、脈拍センサ２５と、地磁気センサ２６と、加速度センサ２７と、ジャイロセンサ２８と、照度センサ２９と、第２入力部３０と、ＧＰＳ（Ｇｌｏｂａｌ  Ｐｏｓｉｔｉｏｎｉｎｇ  Ｓｙｓｔｅｍ）アンテナ３１と、ＧＰＳモジュール３２と、を備えている。
【００１１】
ＣＰＵ１１は、第１ＣＰＵ１１Ａと、第２ＣＰＵ１１Ｂとによって構成される。
第１ＣＰＵ１１Ａは、各種演算処理を行い、ＯＳの処理を実行することにより、電子機器１におけるスマートフォンに類する機能を制御する。本実施形態において、第１ＣＰＵ１１Ａは、ブルートゥースモジュール２１あるいは無線ＬＡＮモジュール２３を介して受信した電子メールの着信や気象情報に関するメッセージ等を第１表示部１８に表示させたり、タッチパネル１７を介して入力される操作を受け付けたりする。また、第１ＣＰＵ１１Ａは、第１入力部１９を介して入力される音声を認識したり、その他、スマートフォンに類する機能として実装された各種機能に係る処理を行ったりする。
また、本実施形態において、第１ＣＰＵ１１Ａは、ＲＴＣ部１５から所定タイミングで時刻信号を取得する。
【００１２】
第２ＣＰＵ１１Ｂは、特定のプログラムの処理を実行することにより、第２表示部２４に対する表示の指示を行ったり、各種センサの検出結果を取得したり、その他、腕時計の機能として実装された各種機能に係る処理を行ったりする。本実施形態において、第２ＣＰＵ１１Ｂは、第１ＣＰＵ１１Ａから入力された時刻信号を基準として、時刻を計算したり、時刻、曜日あるいは日付等を第２表示部２４に表示させたりする。第２ＣＰＵ１１Ｂが実行する特定のプログラムの処理（時刻の計算等）は、第１ＣＰＵ１１Ａが実行するＯＳの処理に比べて単純な動作であることから処理負荷が小さく、低消費電力で実行可能である。また、そのため、第２ＣＰＵ１１Ｂに要求されるハードウェアのスペックは、第１ＣＰＵ１１Ａに比べて低いもので足りる。
【００１３】
ＲＯＭ１２は、第１ＣＰＵ１１Ａ及び第２ＣＰＵ１１Ｂそれぞれからデータの読み出しが可能であり、第１ＣＰＵ１１Ａ及び第２ＣＰＵ１１Ｂが実行する種々のプログラムや初期設定データを格納する。例えば、ＲＯＭ１２は、第１ＣＰＵ１１Ａが実行するＯＳのプログラムやＯＳの管理下で実行される各種プログラム、あるいは、第２ＣＰＵ１１Ｂが実行する特定のプログラム（ここでは、腕時計の機能を実現する組み込み用プログラム）のプログラムを格納する。
【００１４】
ＲＡＭ１３は、第１ＣＰＵ１１Ａ及び第２ＣＰＵ１１Ｂそれぞれからデータの読み出し及び書き込みが可能であり、第１ＣＰＵ１１Ａ及び第２ＣＰＵ１１Ｂに作業用のメモリ空間を提供し、作業用の一時データを記憶する。例えば、ＲＡＭ１３は、第１ＣＰＵ１１ＡがＯＳを実行する際のシステム領域やワークエリアを提供したり、第２ＣＰＵ１１Ｂが特定のプログラムを実行する際の記憶領域を提供したりする。
【００１５】
記憶部１４は、第１ＣＰＵ１１Ａ及び第２ＣＰＵ１１Ｂそれぞれからデータの読み出し及び書き込みが可能な不揮発性のメモリであり、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）である。記憶部１４には、スマートフォンに類する各種機能や腕時計の機能等において生成された各種データ（各種設定内容のデータ等）が記憶される。
【００１６】
ドライブ１６には、磁気ディスク、光ディスク、光磁気ディスク、あるいは半導体メモリ等よりなる、リムーバブルメディア４１が適宜装着される。リムーバブルメディア４１は、各種センサによって検出されたデータ等の各種データを記憶することができる。
タッチパネル１７は、第２表示部２４の表示画面上に設けられた静電容量方式または抵抗膜式等のタッチパネルである。タッチパネル１７は、操作面に対するユーザのタッチ操作位置と操作内容とを検出して当該操作に応じた信号を発生させて、入力信号として第１ＣＰＵ１１Ａに出力する。
【００１７】
第１表示部１８は、有機ＥＬディスプレイ（ＯＬＥＤ）によって構成され、第１ＣＰＵ１１Ａの制御に従って、各種情報を表示画面に表示する。
第１入力部１９は、音声を電気信号に変換するマイクを備え、入力された音声（操作のための音声コマンド等）を示す信号を第１ＣＰＵ１１Ａに出力する。
【００１８】
ブルートゥース用アンテナ２０は、ブルートゥースの規格に基づく電磁波を送受信するアンテナであり、例えばモノポールアンテナ等によって構成される。ブルートゥース用アンテナ２０は、ブルートゥースモジュール２１から入力された無線通信の電気信号を電磁波として送信したり、受信した電磁波を電気信号に変換してブルートゥースモジュール２１に出力したりする。
ブルートゥースモジュール２１は、第１ＣＰＵ１１Ａの指示に従って、ブルートゥース用アンテナ２０を介して他の装置に信号を送信する。また、ブルートゥースモジュール２１は、他の装置から送信された信号を受信し、受信した信号が示す情報を第１ＣＰＵ１１Ａに出力する。
【００１９】
無線ＬＡＮアンテナ２２は、無線ＬＡＮモジュール２３によって利用される無線通信に対応した周波数の電波を受信可能なアンテナであり、例えばループアンテナやロッドアンテナによって構成される。無線ＬＡＮアンテナ２２は、無線ＬＡＮモジュール２３から入力された無線通信の電気信号を電磁波として送信したり、受信した電磁波を電気信号に変換して無線ＬＡＮモジュール２３に出力したりする。
無線ＬＡＮモジュール２３は、第１ＣＰＵ１１Ａの指示に従って、無線ＬＡＮアンテナ２２を介して他の装置に信号を送信する。また、無線ＬＡＮモジュール２３は、他の装置から送信された信号を受信し、受信した信号が示す情報を第１ＣＰＵ１１Ａに出力する。
【００２０】
第２表示部２４は、部分的にまたは全体的に光を透過可能なＰＮ（Ｐｏｌｙｍｅｒ  Ｎｅｔｗｏｒｋ）液晶ディスプレイから構成され、第２ＣＰＵ１１Ｂの制御に従って、各種情報を表示画面に表示（ここではセグメント表示）する。
本実施形態において、第２表示部２４であるＰＮ液晶ディスプレイは、図３Ｂに示すように、上述した第１表示部１８である有機ＥＬディスプレイの表示画面上に積層されている。このＰＮ液晶ディスプレイは、電位が掛けられていない部位では液晶分子が不規則に並び、光を反射するようになっている。つまり、この電位が掛けられていない部位において、ＰＮ液晶ディスプレイによる表示がなされることとなる。一方、電位が掛けられた部位では、液晶分子が表示画面に対して垂直に整列するので、光を透過可能となっている。つまり、この電位が掛けられた部位では、上述の有機ＥＬディスプレイからの光を透過可能となるので、当該ＰＮ液晶ディスプレイを介して当該有機ＥＬディスプレイによる表示を視認することができる。即ち、電子機器１の表示領域では、第１表示部１８による表示に第２表示部２４による表示を重ね合わせた状態で表示することができるようになっている。
【００２１】
脈拍センサ２５は、電子機器１の裏面側（ユーザの腕に面する側）に設置され、電子機器１が装着されたユーザの脈拍を検出する。
地磁気センサ２６は、地磁気の方向を検出し、検出した地磁気の方向を示す情報を第２ＣＰＵ１１Ｂに出力する。
加速度センサ２７は、電子機器１における３軸方向の加速度を検出し、検出した加速度を示す情報を第２ＣＰＵ１１Ｂに出力する。
ジャイロセンサ２８は、電子機器１における３軸方向の角速度を検出し、検出した角速度を示す情報を第２ＣＰＵ１１Ｂに出力する。
【００２２】
照度センサ２９は、第１表示部１８の裏面側の所定箇所に設置され、電子機器１の表示領域における明るさ（照度）を検出し、検出した明るさを示す情報を第２ＣＰＵ１１Ｂに出力する。第２ＣＰＵ１１Ｂは、後述するように、照度センサ２９によって検出された明るさに基づいて、第１表示部１８の表示画面の輝度を調整する処理（後述する輝度制御処理）を実行する。
【００２３】
図３Ａは、電子機器１の表示領域における照度センサ２９の設置形態を示す模式図である。また、図３Ｂは、図３ＡにおけるＸ−Ｘ’断面を示す模式図である。
図３Ａに示すように、照度センサ２９は、第１表示部１８及び第２表示部２４の表示領域における所定箇所（図３Ｂにおいては、破線で示す中央右下の位置）に設置される。
また、図３Ｂに示すように、電子機器１の表示領域は、表面側からカバーガラスＣＧ、タッチパネル１７、第２表示部２４、第１表示部１８、黒色シートＢＳ、メイン基板ＭＢの順に積層された断面構造を有している。
【００２４】
これらのうち、黒色シートＢＳは、第２表示部２４及び第１表示部１８を透過して視認した場合の発色を調整する部材であり、本実施形態では、黒色が視認される構成となっている。また、黒色シートＢＳの一部には、貫通穴Ｈが形成されており、この貫通穴Ｈの中に照度センサ２９が設置されている。そのため、照度センサ２９には、電子機器１の表示領域における表面側から光が入射する構造となっており、電子機器１が明るい外光下に置かれ、表示領域の照度が高くなっていることや、電子機器１のタッチパネル１７をユーザが指で操作し、指によって覆われることで表示領域の照度が低くなっていること等を検出することができる。
【００２５】
図２に戻り、第２入力部３０は、各種ボタンで構成され、ユーザの指示操作に応じて各種情報を入力する。
ＧＰＳアンテナ３１は、ＧＰＳにおける衛星から発信される電波を受信して電気信号に変換し、変換した電気信号（以下、「ＧＰＳ信号」と称する。）をＧＰＳモジュール３２に出力する。
ＧＰＳモジュール３２は、ＧＰＳアンテナ３１から入力されたＧＰＳ信号に基づいて、電子機器１の位置（緯度、経度、高度）及びＧＰＳによって示される現在時刻を検出する。また、ＧＰＳモジュール３２は、検出した位置及び現在時刻を示す情報を第２ＣＰＵ１１Ｂに出力する。
【００２６】
［機能的構成］
次に、電子機器１の機能的構成について説明する。
図４は、図２の電子機器１の機能的構成のうち、輝度制御処理を実行するための機能的構成を示す機能ブロック図である。
輝度制御処理とは、時刻取得部５２によって取得された時刻における、表示内容の明るさの制御の要否を判定し、判定結果に応じて表示内容の明るさを制御したのち、照度センサ２９によって検出された照度に基づいて、発光領域の輝度を調整する、一連の処理をいう。
【００２７】
輝度制御処理が実行される場合、図４に示すように、第１ＣＰＵ１１Ａにおいて、照度情報取得部５１と、時刻取得部５２と、輝度制御部５３と、表示内容制御部５４と、が機能し、第２ＣＰＵ１１Ｂにおいて、センサ情報取得部６１が機能する。
照度情報取得部５１は、第２ＣＰＵ１１Ｂのセンサ情報取得部６１によって検出された照度を取得する。
時刻取得部５２は、ＲＴＣ部１５によって検知された時刻を取得する。
【００２８】
輝度制御部５３は、照度情報取得部５１によって取得された照度に基づいて、第１表示部１８の輝度を制御する。即ち、輝度制御部５３は、電子機器１が明るい（照度が高い）環境に置かれている場合、表示画面が相対的に暗くなり、視認し難くなること防ぐため、検出された照度に応じた高い輝度に第１表示部１８の輝度を制御する。一方、輝度制御部５３は、電子機器１が暗い（照度が低い）環境に置かれている場合、表示画面が過度に明るくなり、視認し難くなること防ぐため、検出された照度に応じた低い輝度に第１表示部１８の輝度を制御する。なお、照度に対応する輝度の値は、例えば、テーブル形式のデータ、或いは、所定の関数として電子機器１に保持されており、輝度制御部５３は、これらテーブル形式のデータまたは所定の関数を適宜参照して輝度を制御する。
【００２９】
表示内容制御部５４は、表示内容を制御する。例えば、第１表示部１８の発光領域に時計表示を行う。時計表示は、時刻取得部５２において取得された時刻情報に対応する、アナログ時計を模した針表示である。従って、表示内容は時刻の経過とともに変化し、時分毎に表示内容の形状を変化させる。
又、表示内容制御部５４は、表示内容の表示色や輝度、その他の明るさを司るパラメータを制御する。例えば、電子機器１が、照度が低い環境に置かれている場合、表示内容が過度に明るくなり、視認し難くなること防ぐため、検出された照度に応じた低い輝度に表示内容の輝度を制御する。一方、電子機器１が暗い環境に置かれている場合には、この逆の制御、即ち、検出された照度に応じた高い輝度に表示内容の輝度を制御する。本実施形態における時計表示では、表示内容制御部５４は、表示内容の針表示の輝度又は表示色を調整する。
【００３０】
センサ情報取得部６１は、照度センサによって検出された照度等、各種センサによって検出された検出値を取得する。なお、照度センサ２９は等方性を有する形状であるため、検出される照度、即ち、センサ情報取得部６１によって取得される検出値は、入射光の入射方向によらない値である。
【００３１】
［表示内容の変化］
図５Ａから図５Ｃを参照して、時刻に応じた表示内容の変化を説明する。図５Ａは、図３Ａの詳細を示す図であって、第１の表示内容を示す模式図である。表示内容である分針７１及び時針７３は、ＯＬＥＤの自発光によって、第１表示部１８の発光領域６８に表示される。第１の表示内容では、分針７１及び時針７３の表示色は、例えば灰色とする。
【００３２】
図３Ｂに示されるように、視認方向において、照度センサ２９は第１表示部１８と重畳している。この重畳している部分は、発光領域６８において破線で示されており、ここでは重畳部分７０と称する。
【００３３】
第１の表示内容は、分針７１と時針７３によって、５時の時刻を示している。分針７１及び時針７３は、回転中心Ｏを中心に回転する。回転中心Ｏは、照度センサ２９の中心（重畳部分７０の中心）と一致している。時刻の経過に伴って、分針７１は回転中心Ｏを回転の中心として紙面に向かって右回りに回転し、時針７３もまた回転中心Ｏを回転の中心として紙面に向かって右回りに回転する。
【００３４】
重畳部分７０には、分針７１と重なる分針領域７２、及び、時針７３と重なる時針領域７４が生じる。第１の表示内容では、分針領域７２の発光量と時針領域７４の発光量との合計が、分針７１及び時針７３全体の発光量の５０％であるものとする。
なお、照度センサ２９の配置位置の比較例として、照度センサ２９´が示されている。照度センサ２９´は、回転中心Ｏを含まない領域に設けられる。この場合、照度センサ２９´と重畳する部分における分針７１の発光量は、分針７１及び時針７３全体の発光量の１０％であるものとする。
【００３５】
図５Ｂは、第２の表示内容を示す模式図である。第２の表示内容は、第１の表示内容の時刻から所定の時間経過した場合の表示内容であって、分針７１と時針７３によって、７時１０分の時刻を示している。第２の表示内容では、分針領域７２の発光量と時針領域７４の発光量との合計は、第１の表示内容から不変であって、分針７１及び時針７３全体の発光量の５０％である。
なお、比較例において、照度センサ２９´との重畳部分において、分針７１は照度センサ２９´と重ならない位置に移動しているため、重畳部分における分針７１の発光量は全体の発光量の０％である。
【００３６】
第１の表示内容と第２の表示内容とを比較すると、重畳部分７０において、分針領域７２の発光量と時針領域７４の発光量との合計は、時刻の経過にかかわらず不変である。
一方、照度センサが照度センサ２９´に示される位置にある場合、即ち、照度センサ２９´の配置が回転中心Ｏから外れている場合、分針領域７２の発光量と時針領域７４の発光量との合計は、時刻の経過に伴って変化する。
【００３７】
このように、回転中心Ｏと照度センサの位置関係によって、発光領域６８と照度センサとの重畳部分における表示内容の発光量は、不変又は可変の何れかとなる。照度センサにおける照度の検出精度を上げるためには、表示内容の発光量は不変であることが望ましい。なぜならば、表示内容の発光量が変化すると、照度センサへの入射光量に対して表示内容の発光量の変化量が加わることになり、照度センサへの入射光量が本来と異なる光量となるからである。
従って、表示内容は、照度センサ２９の中心と、分針７１及び時針７３の回転中心Ｏとが一致するような位置に表示されることが望ましい。
【００３８】
このように、表示内容が、時計の針表示であるとき、表示内容制御部５４は、照度センサ２９の位置に基づいて、針表示の表示位置を決定する。
表示内容制御部５４は、例えば、予め記憶部１４に記録されたアプリケーション等を利用して、照度センサ２９の位置を検知し、照度センサ２９の位置に対応する位置に時計の針表示を行う。即ち、表示内容制御部５４は、照度センサ２９の中心と、分針７１及び時針７３の回転中心の位置が一致するように、針を表示する。これにより、重畳部分７０において、分針領域７２の発光量と時針領域７４の発光量との合計が、時刻の経過によらず一定に保持されるように、針表示がされる。
【００３９】
図５Ｃは、第３の表示内容を示す模式図である。第３の表示内容は、重畳部分７０において、分針領域７２の発光量と時針領域７４の発光量との合計が変化する、例外を示す図である。第３の表示内容では、分針７１と時針７３とが重なり合って、４時２２分の時刻を示している。第３の表示内容では、重畳領域Ｄが生じることによって、分針領域７２の発光量と時針領域７４の発光量との合計は、第１の表示内容から変化し、分針７１と時針７３全体の発光量の３０％になっている。
【００４０】
上述のとおり、重畳部分７０における表示内容の発光量は不変であることが望ましいため、第３の表示内容のように重畳領域Ｄが生じる場合、表示内容制御部５４は、発光量の変化を抑制する制御を行う。
例えば、表示内容制御部５４は、表示内容の輝度そのものを制御するか、又は、これに代えて重畳領域Ｄの表示色を変更する。ここでは、表示内容制御部５４は、発光量の変化を抑えるために、表示色を灰色から白色に変更することによって、発光量を５０％に上げる制御を行う。これにより、重畳部分７０の発光量は常に一定に保たれる。
結果として、照度センサ２９は、発光領域の発光量の変化の影響を受けない入射光から照度を検出することができる。
【００４１】
又、重畳領域Ｄが生じる時刻は、予め算出できる。そして、重畳領域Ｄの発光の変化量もまた、重畳領域Ｄの面積等から予め算出できるため、時刻と発光の変化量、若しくは時刻と発光量の補正値とを関連付けたデータを、輝度テーブル１４１に予め記録しておく。表示内容制御部５４は、輝度テーブル１４１に示される変化量若しくは補正値に基づいて、表示内容の発光量を制御する。
【００４２】
［動作］
図６は、図４の機能的構成を有する図１の電子機器１が実行する輝度制御処理の流れを説明するフローチャートである。
輝度制御処理は、ユーザがタッチパネル１７又は第１入力部１９を通して、時計表示を開始する操作を行ったときに開始する。
【００４３】
ステップＳ１において、照度情報取得部５１は、照度を取得する。
ステップＳ２において、輝度制御部５３は、取得された照度が所定値未満か否か判定する。照度が所定値未満である場合、処理はステップＳ３に進む。
ステップＳ２において、照度が所定値以上の場合、輝度制御部５３は、表示内容の輝度を制御する必要が無いと判断して、処理はステップＳ８に進む。照度が所定値以上である場合、外光量が大きいと想定され、このとき、外光量に対する表示内容の発光量の影響は無視できるほど小さいと考えられる。従って、輝度制御部５３は、表示内容の発光量を制御せずに、処理はステップＳ８に進み、取得された照度に基づいて第１表示部の輝度を制御する。
【００４４】
ステップＳ３において、時刻取得部５２は、ＲＴＣ部１５によって検知された時刻を取得する。
ステップＳ４において、輝度制御部５３は、輝度テーブル１４１を参照し、時刻取得部５２において取得された時刻に対応する、分針領域７２と時針領域７４の輝度値を選択する。
【００４５】
ステップＳ５において、輝度制御部５３は、選択された輝度値に応じて、現在の分針領域７２及び／又は時針領域７４の輝度を変更する必要があるか否かを判定する。
例えば、図５Ｃに示されるような、重畳領域Ｄが存在する時刻の場合には、輝度制御部５３は、分針領域７２及び／又は時針領域７４の輝度を制御する必要があると判定し、処理はステップＳ６に進む。
【００４６】
ステップＳ６において、表示内容制御部５４は、重畳領域Ｄの輝度を調整する。表示内容制御部５４は、重畳部分７０において、図５Ｃにおける重畳領域Ｄの発光量が、第１の表示内容及び第２の表示内容に示される分針領域７２の発光量と時針領域７４の発光量との合計と同じになるように、輝度を制御する。例えば、発光領域において、針表示の表示色は通常灰色であるが、重畳領域Ｄでは表示色が白色に変更されることで、重畳部分７０の輝度は、重畳領域Ｄが存在しない場合と同一の輝度に調整される。
【００４７】
ステップＳ６における制御の結果、重畳部分７０全体の輝度は、重畳領域Ｄが生ずる時刻においても、重畳領域Ｄが生じない時刻と同じ輝度に保たれる。即ち、時計表示の発光量の変化が抑制される。従って、照度センサ２９に入射する外光量は、時計表示の発光量の変化の影響を受けないため、照度の変化を正確に検出することが出来る。換言すれば、照度センサ２９において検出される照度は、表示内容によらず正確に検出される。
ステップＳ６において、表示内容制御部５４の制御が完了すると、処理はステップＳ７に進む。或いは、上述のステップＳ５において、針表示の輝度を制御する必要が無いと判定されている場合、処理はステップＳ７に進む。
【００４８】
ステップＳ７において、照度情報取得部は、照度センサ２９によって検出された照度を、センサ情報取得部６１を介して取得する。
ステップＳ７において検出される照度は、表示内容の輝度が調整された重畳部分７０を通して入射した外光に基づいて検出されたものであるため、表示内容の輝度が調整されない場合と比べて精度が高い。
【００４９】
ステップＳ８において、輝度制御部５３は、ステップＳ１で検出された照度、又は、ステップＳ７で検出された照度に基づいて、第１表示部１８の明るさを制御する。
ステップＳ８では、ステップＳ７において高精度に検出された照度に基づいて、第１表示部１８の明るさが制御されるため、結果として、第１表示部１８の明るさはより適切に調整される。
【００５０】
ステップＳ９において、表示内容制御部５４は、終了条件を満たすか否かを判定する。終了条件は、例えば、ユーザがタッチパネル１７又は第１入力部１９を通して、時計表示を終了させる操作を行ったときである。時計表示が終了された場合、輝度制御処理は終了し、時計表示が継続する場合、処理はステップＳ３に戻り繰り返される。
【００５１】
以上のように構成される電子機器１は、第１表示部１８と、照度センサ２９と、表示内容制御部５４と、を備える。
照度センサ２９は、第１表示部１８の表示面の背面側に配置され、照度を検出する。
表示内容制御部５４は、照度センサ２９により検出された照度が所定照度未満の場合、第１表示部１８の発光領域と照度センサ２９の受光領域との重畳部分７０における当該発光領域の表示内容の変化による照度の変化を抑制するように、当該発光領域の表示内容を制御する。
これにより、表示内容にかかわらず、適切な照度を検出することが可能な電子機器を実現することができる。表示内容の明るさが一定に保たれることで、照度センサ２９は、発表示内容の明るさの変化の影響を受けない外光量から照度を検出することができる。結果として、照度センサ２９において検出される照度の精度が上がるため、照度に基づいて発光が制御される第１表示部１８の明るさはより適切に保たれる。
【００５２】
表示内容制御部５４は、重畳部分７０のうち、発光領域の分針領域７２と時針領域７４とが重畳する重畳領域Ｄが形成される場合、重畳部分７０における発光領域の表示内容を制御する。
これにより、重畳部分７０における発光領域の表示内容が制御され、結果として、照度センサ２９は、表示内容の明るさの変化の影響を受けない外光量から照度を検出する構成とすることができる。
【００５３】
表示内容制御部５４は、重畳部分７０における発光領域の表示内容の変化による照度の変化を抑制するように、表示内容の表示色又は輝度を変更する。
表示内容制御部５４は、表示内容の輝度そのものを制御するか、又は、これに代えて重畳領域Ｄの表示色を変更する。表示内容制御部５４は、所定の輝度を実現するために、表示色を変更することによって、表示内容の変化による照度の変化を抑制する制御を行ってもよい。
【００５４】
表示内容制御部５４は、重畳部分７０における発光領域の表示内容の発光量が低下する場合（例えば、分針領域７２と時針領域７４とが重なる場合）、表示内容の輝度を上昇させ、重畳部分７０における発光領域の表示内容の発光量が上昇する場合（例えば、分針領域７２と時針領域７４とが重ならない場合）、表示内容の輝度を低下させる。
これにより、重畳部分７０の輝度を常に一定に保つことができ、結果として、照度センサ２９は、表示内容の明るさの変化の影響を受けない外光量から照度を検出することができる。
【００５５】
表示内容は、時計の針表示であって、表示内容制御部５４は、照度センサ２９の配置される位置に基づいて、針表示の表示位置を決定する。
表示内容制御部５４は、例えば、照度センサ２９の位置を検知して、照度センサ２９の位置に対応する位置に時計の針表示を行う。これにより、表示内容制御部５４は、照度センサの配置される位置に対応する表示内容の明るさを一定に保つ。結果として、照度センサ２９は、表示内容の明るさの変化の影響を受けない外光量から照度を検出することができる。
【００５６】
表示内容制御部５４は、針表示の針の回転中心Ｏの位置が、照度センサ２９の受光領域と重なるように、表示内容を制御する。
例えば、表示内容制御部５４は、照度センサ２９の中心と、針の回転中心の位置が一致するように、針を表示する。表示内容制御部５４は、例えば、照度センサ２９が円形である場合には、照度センサ２９の円の中心と、針の回転の中心が一致するように、針を表示する。これにより、表示内容制御部５４は、重畳部分７０における、針が表示される領域を時刻毎に予め推定することができる。表示内容制御部５４は、推定された針表示の位置に基づいて、表示内容の明るさを一定に保つ制御を行うことによって、結果として、照度センサ２９は、表示内容の明るさの変化の影響を受けない光量から照度を検出することができる。
【００５７】
表示内容制御部５４は、照度センサ２９により検出された照度が所定照度以上の場合、第１表示部の発光領域の表示内容を維持するように制御する。
照度が所定値以上である場合、外光量が大きいことが想定される。このような場合、第１表示部１８の発光領域から発せられる発光量の検出される照度への影響は小さくなり、当該発光領域の表示内容の制御は不要であると考えられる。
これにより、検出された照度に応じて、表示内容の制御を適切に行うことができる。
【００５８】
第１表示部１８は、発光性の有機化合物を含む有機発光層を有する。
これにより、電子機器１の発光領域の小型化を実現することが可能となる。
【００５９】
［変形例］
なお、本発明は、上述の実施形態に限定されるものではなく、本発明の目的を達成できる範囲での変形、改良等は本発明に含まれるものである。
【００６０】
他の実施例として、表示内容の輝度の調整において、白色以外の色で表示する制御を行ってもよい。上述の実施形態において、表示内容制御部５４は、通常時の針表示が灰色であるところを、重畳領域Ｄには白色に表示色を変更するが、必ずしもこれらの色でなくてもよい。即ち、通常時の表示色に応じて、重畳領域Ｄの表示色を、発光領域の発光量の変化を抑制するような色に変更してもよい。
【００６１】
他の変形例として、表示内容制御部５４は、リアルタイムに表示内容の輝度を制御してもよい。即ち、上述の実施形態では、記憶部１４に予め記録された輝度テーブル１４１を参照することによって、表示内容の輝度を調整するが、予め輝度テーブル１４１を保持していなくてもよい。この場合、表示内容制御部５４は、分針領域７２と時針領域７４との重なりをリアルタイムで検出し、重畳領域Ｄが生じたときに重畳領域Ｄの輝度を調整してもよい。
【００６２】
他の変形例として、上述の実施形態では、表示内容はアナログの時計表示であるが、デジタル表記の時計表示であってもよい。この場合、デジタル表記の時計表示においても、時刻を表示する領域（数字表記の領域）の発光量が一定に保たれるように、表示内容の輝度や表示色の制御が行われてもよい。
【００６３】
他の変形例として、上述の実施形態では、照度センサ２９は略正方形の矩形を例としたが、照度センサ２９は他の形状であってもよい。例えば、正偶数角形、楕円（円を含む）、又は平行四辺形（長方形や菱形も含む）等の、回転中心Ｏを中心とした１８０度の回転に対し不変な形状の受光部を備える照度センサであれば、いかなる照度センサであってもよい。
【００６４】
他の変形例として、上述の実施形態では、時計表示は紙面に向かって右下になされているが、発光領域６８の中央になされてもよい。この場合、本発明の効果を奏するためには、照度センサ２９もまた発光領域の中央に配置されている必要がある。当然ながら、針表示の回転中心Ｏは、照度センサ２９の中央に位置する。
【００６５】
他の変形例として、表示内容制御部５４は、画像を選択することによって、表示内容の輝度を制御してもよい。上述の実施形態では、表示内容制御部５４は、輝度テーブル１４１を参照して、表示内容を時刻に応じた輝度に調整する制御を行うが、ステップＳ４において輝度テーブル１４１を参照する代わりに、時刻に応じた「時計画像データ」を参照してもよい。「時計画像データ」には、各時刻に応じた輝度を有する画像データが、全ての時刻に対応するように記録されている。表示内容制御部５４は、時刻取得部５２から時刻を取得すると、「時計画像データ」を参照して、取得した時刻に対応する画像を選択して、表示内容として表示する。これにより、表示内容の輝度は一定に保たれる。
なお、「時計画像データ」を使用する場合、ステップＳ５〜Ｓ６の処理は不要になるが、「時計画像データ」を記録するための記憶領域が、輝度テーブル１４１を記録する場合と比較して多く必要となる。
また、「時計画像データ」を使用する場合、表示内容の輝度は常に一定に保たれているため、照度は常に正確に検出される。従って、ステップＳ７〜Ｓ８における第１表示部１８の輝度の調整がいつ行われても、第１表示部１８の明るさは常に適切に保たれる利点がある。
【００６６】
他の変形例として、表示内容制御部５４は、重畳領域Ｄの輝度を基準として、表示内容の明るさを制御してもよい。
上述の実施形態では、表示内容制御部５４は、分針領域７２と時針領域７４とが重ならない状態（重畳領域Ｄが生じない状態）を基準として表示内容の制御を行っている。即ち、表示内容制御部５４は、重畳部分７０における発光領域の表示内容の発光量が低下する場合、例えば、分針領域７２及び時針領域７４が現在の輝度を維持したまま、分針領域７２と時針領域７４とが重ならない状態から重なる状態に変化する場合に、表示内容の輝度を上昇させる制御を行う。
一方、本変形例では、分針領域７２と時針領域７４とが重なる状態（重畳領域Ｄが生じる状態）を基準として表示内容の制御を行う。即ち、重畳部分７０における発光領域の表示内容の発光量が上昇する場合、例えば、分針領域７２及び時針領域７４が現在の輝度を維持したまま、重畳領域Ｄの面積が経時的に減少していく場合、或いは、重畳領域Ｄがなくなる場合、重畳領域Ｄの面積に応じて表示内容の輝度を低下させてもよい。
これにより、重畳部分７０の輝度を重畳領域Ｄの有無にかかわらず、一定に保つことができ、結果として、照度センサ２９は、表示内容の明るさの変化の影響を受けない外光量から照度を検出することができる。
【００６７】
また、上述の実施形態では、電子機器１は第１表示部１８と第２表示部２４とを備えるものとしたが、それに限らず、電子機器１は第１表示部１８のみを備えるものであってもよい。
また、上述の実施形態では、表示内容が表示される第１表示部１８がＯＬＥＤで構成されるが、液晶ディスプレイ等の他の表示装置で構成されてもよい。
また、上述の実施形態では、電子機器１のＣＰＵ１１は第１ＣＰＵ１１Ａと第２ＣＰＵ１１Ｂとからなるものとしたが、それに限らず、ＣＰＵ１１は第１ＣＰＵ１１Ａの機能と第２ＣＰＵ１１Ｂの機能の両方を備える１つのＣＰＵであってもよい。
【００６８】
また、上述の実施形態では、時計表示は、時刻取得部５２において取得された時刻情報に対応する、アナログ時計を模した針表示であった。そして、時計表示として、分針７１及び時針７３を表示していた。これに限らず、他の表示を行うようにしてもよい。例えば、表示内容制御部５４は、分針７１及び時針７３に加えて、秒針を更に表示するようにしてもよい。そして、表示内容制御部５４は、分針７１及び時針７３の表示に対して行っていた上述の制御を、更に表示する秒針に対しても行うようにしてもよい。また、この場合に、表示内容制御部５４は、分針７１及び時針７３と、更に表示する秒針との重畳領域に対して、重畳領域Ｄに対する制御と同様の制御を行うようにしてもよい。
【００６９】
また、上述の実施形態では、本発明が適用される電子機器１は、デジタルカメラ腕時計型の装置（スマートウォッチ等）を例として説明したが、特にこれに限定されない。
例えば、本発明は、輝度調整機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００７０】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能が電子機器１に備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００７１】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７２】
このようなプログラムを含む記録媒体は、ユーザにプログラムを提供するために装置本体とは別に配布される図２のリムーバブルメディア４１により構成されるだけでなく、装置本体に予め組み込まれた状態でユーザに提供される記録媒体等で構成される。リムーバブルメディア４１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１４に含まれる半導体メモリ等で構成される。
【００７３】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
例えば、ステップＳ１及びＳ２の処理は省略されてもよい。この場合、輝度制御部５３は、外光の量にかかわらず表示内容の明るさを調整する。外光の量にかかわらず明るさが制御されることによって、上述の実施形態と比較して、輝度制御部５３における処理速度が向上する。
【００７４】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００７５】
以下に、本願の出願当初の特許請求の範囲に記載された発明を付記する。
［付記１］
表示手段と、
前記表示手段の表示面の背面側に配置され、照度を検出する照度検出手段と、
前記照度検出手段により検出された前記照度が所定照度未満の場合、前記表示手段の発光領域と前記照度検出手段の受光領域との重畳部分における当該発光領域の表示内容の変化による前記照度の変化を抑制するように、当該発光領域の表示内容を制御する制御手段と、を備えることを特徴とする電子機器。
［付記２］
前記制御手段は、前記重畳部分のうち、前記発光領域の第１表示内容と第２表示内容とが重畳する重畳領域が形成される場合、前記重畳部分における前記発光領域の表示内容を制御することを特徴とする付記１に記載の電子機器。
［付記３］
前記制御手段は、前記重畳部分における前記発光領域の表示内容の変化による前記照度の変化を抑制するように、前記表示内容の表示色又は輝度を変更することを特徴とする付記１又は２に記載の電子機器。
［付記４］
前記制御手段は、
前記重畳部分における前記発光領域の表示内容の発光量が低下する場合、前記表示内容の輝度を上昇させ、
前記重畳部分における前記発光領域の表示内容の発光量が上昇する場合、前記表示内容の輝度を低下させることを特徴とする付記３に記載の電子機器。
［付記５］
前記表示内容は、時計の針表示であって、
前記制御手段は、前記照度検出手段の配置される位置に基づいて、前記針表示の表示位置を決定することを特徴とする付記１乃至４の何れか一に記載の電子機器。
［付記６］
前記制御手段は、前記針表示の針の回転中心の位置が、前記照度検出手段の受光領域と重なるように、前記表示内容を制御することを特徴とする付記５に記載の電子機器。
［付記７］
前記照度検出手段により検出された前記照度が所定照度以上の場合、前記表示手段の発光領域の表示内容の明るさを維持することを特徴とする付記１乃至６の何れか一に記載の電子機器。
［付記８］
前記表示手段は、発光性の有機化合物を含む有機発光層を有することを特徴とする付記１乃至６の何れか一に記載の電子機器。
［付記９］
表示手段と、
前記表示手段の表示面の背面側に配置され、照度を検出する照度検出手段と、を備えた電子機器の輝度制御方法であって、
前記照度検出手段により検出された前記照度が所定照度未満の場合、前記表示手段の発光領域と前記照度検出手段の受光領域との重畳部分における当該発光領域の表示内容の変化による前記照度の変化を抑制する制御ステップと、を備えることを特徴とする輝度制御方法。
［付記１０］
表示手段と、
前記表示手段の表示面の背面側に配置され、照度を検出する照度検出手段と、を備えた電子機器に、
前記照度検出手段により検出された前記照度が所定照度未満の場合、前記表示手段の発光領域と前記照度検出手段の受光領域との重畳部分における当該発光領域の表示内容の変化による前記照度の変化を抑制する制御機能と、を実現させることを特徴とする輝度制御プログラム。
【符号の説明】
【００７６】
１・・・電子機器，１１・・・ＣＰＵ，１１Ａ・・・第１ＣＰＵ，１１Ｂ・・・第２ＣＰＵ，１２・・・ＲＯＭ，１３・・・ＲＡＭ，１４・・・記憶部，１５・・・ＲＴＣ部，１６・・・ドライブ，１７・・・タッチパネル，１８・・・第１表示部，１９・・・第１入力部，２０・・・ブルートゥース用アンテナ，２１・・・ブルートゥースモジュール，２２・・・無線ＬＡＮアンテナ，２３・・・無線ＬＡＮモジュール，２４・・・第２表示部，２５・・・脈拍センサ，２６・・・地磁気センサ，２７・・・加速度センサ，２８・・・ジャイロセンサ，２９・・・照度センサ，２９´・・・照度センサ，３０・・・第２入力部，３１・・・ＧＰＳアンテナ，３２・・・ＧＰＳモジュール，４１・・・リムーバブルメディア，ＣＧ・・・カバーガラス，ＢＳ・・・黒色シート，ＭＢ・・・メイン基板，Ｈ・・・貫通穴，５１・・・照度情報取得部，５２・・・時刻取得部，５３・・・輝度制御部，５４・・・表示内容制御部，６１・・・センサ情報取得部，６８・・・発光領域，７０・・・重畳部分，分針・・・７１，分針領域・・・７２，時針・・・７３，時針領域・・・７４，１４１・・・輝度テーブル，Ｄ・・・重畳領域，Ｏ・・・回転中心
【図１】
2019168395.tif 000003
【図２】
2019168395.tif 000004
【図３Ａ】
2019168395.tif 000005
【図３Ｂ】
2019168395.tif 000006
【図４】
2019168395.tif 000007
【図５Ａ】
2019168395.tif 000008
【図５Ｂ】
2019168395.tif 000009
【図５Ｃ】
2019168395.tif 000010
【図６】
2019168395.tif 000011